【手続補正書】
【提出日】平成18年3月3日(2006.3.3)
【手続補正１】
【補正対象書類名】明細書
【補正対象項目名】発明の名称
【補正方法】変更
【補正の内容】
【発明の名称】ナビゲーション装置、画像表示方法
【手続補正２】
【補正対象書類名】明細書
【補正対象項目名】特許請求の範囲
【補正方法】変更
【補正の内容】
【特許請求の範囲】
【請求項１】  移動体の現在位置を測位することのできる測位手段と、
上記移動体が停止状態にあることを検出する検出手段と、
上記検出手段により検出される停止状態が所定時間以上を経過した場合に、この時の停止位置に関する所要の情報である停止履歴情報を作成するものとされ、この停止履歴情報として、少なくとも、停止位置を上記測位手段によって測位して得た停止位置情報を含めるようにして作成を行う停止履歴情報作成手段と、
１以上の上記停止履歴情報を記憶可能とされる記憶手段と、
上記記憶手段に記憶されている停止履歴情報に基づいて、所定の出力態様によって提示を行う提示手段と、
を備えていることを特徴とするナビゲーション装置。
【請求項２】  上記提示手段は、
上記停止履歴情報に基づいて、所定の表示形態により画像表示を行うように構成されることを特徴とする請求項１に記載のナビゲーション装置。
【請求項３】  上記停止履歴情報作成手段は、
上記停止位置情報に対して付随させるべき所定内容の付随情報を得て、上記停止位置情報と上記付随情報とにより、上記停止履歴情報を作成可能とされていることを特徴とする請求項１に記載のナビゲーション装置。
【請求項４】  上記停止履歴情報作成手段は、
上記検出手段により停止状態にあると検出された期間に関する時間情報を得て、この時間情報を上記停止位置情報に対して付随情報として付随させて、上記停止履歴情報を作成するようにされていることを特徴とする請求項３に記載のナビゲーション装置。
【請求項５】  上記停止履歴情報作成手段は、
上記停止位置情報として示される略同一位置に停止したとされる回数を示す停止回数情報を得て、この停止回数情報を上記停止位置情報に対して付随情報として付随させて、上記停止履歴情報を作成するようにされていることを特徴とする請求項３に記載のナビゲーション装置。
【請求項６】  上記停止履歴情報作成手段は、
上記停止位置情報により示される位置を含む地域に関連する所定内容の地域関連情報を得て、この地域関連情報を上記停止位置情報に対して付随情報として付随させて、上記停止履歴情報を作成するようにされていることを特徴とする請求項３に記載のナビゲーション装置。
【請求項７】  上記停止履歴情報作成手段は、
停止履歴情報の有効期限を示す有効期限情報を、上記停止位置情報に対して付随情報として付随させて、上記停止履歴情報を作成するようにされていることを特徴とする請求項３に記載のナビゲーション装置。
【請求項８】  上記停止履歴情報において上記停止位置情報に付随させるべき所定の付随情報の内容について設定を行うことのできる操作手段と、
上記操作手段により設定された付随情報に基づいて、既に上記記憶手段に対して記憶されている停止履歴情報の更新を実行可能な停止履歴情報更新手段と、
を設けたことを特徴とする請求項１に記載のナビゲーション装置。
【請求項９】  上記提示手段は、
上記記憶手段に記憶されている停止履歴情報について、上記停止履歴情報を形成する各情報単位でソートしたうえで、このソート結果に基づいての提示を実行可能なように構成されていることを特徴とする請求項１に記載のナビゲーション装置。
【請求項１０】  上記記憶手段に記憶されている上記停止履歴情報として、情報記憶の有効期限を示す有効期限情報が付随されている場合において、
上記有効期限情報により示される有効期限が経過したとされる上記停止履歴情報について上記記憶手段から削除する情報削除手段、
が備えられることを特徴とする請求項１に記載のナビゲーション装置。
【請求項１１】   移動体の現在位置を測位する測位ステップと、
上記移動体が停止状態にあることを検出する検出ステップと、
上記検出ステップにより検出される停止状態が所定時間以上を経過した場合に、この時の停止位置に関する所要の情報である停止履歴情報を作成するものとされ、この停止履歴情報として、少なくとも、上記測位ステップによって停止位置を測位して得た停止位置情報を含めるようにして作成を行う停止履歴情報作成ステップと、
１以上の上記停止履歴情報を記憶手段に記憶させる記憶ステップと、
上記記憶手段に記憶されている停止履歴情報に基づいて、所定の表示形態により画像表示を行う画像表示ステップと、
を実行することを特徴とする画像表示方法。
【手続補正３】
【補正対象書類名】明細書
【補正対象項目名】０００１
【補正方法】変更
【補正の内容】
【０００１】
【発明の属する技術分野】
本発明は自動車等の移動体に搭載されるナビゲーション装置と画像表示方法に関するものである。
【手続補正４】
【補正対象書類名】明細書
【補正対象項目名】０００８
【補正方法】変更
【補正の内容】
【０００８】
【課題を解決するための手段】
上記目的を達成するため、本発明のナビゲーション装置として次のように構成する。
つまり、移動体の現在位置を測位することのできる測位手段と、移動体が停止状態にあることを検出する検出手段と、この検出手段により検出される停止状態が所定時間以上を経過した場合に、この時の停止位置に関する所要の情報である停止履歴情報を作成するものとされ、この停止履歴情報として、少なくとも、停止位置を測位手段によって測位して得た停止位置情報を含めるようにして作成を行う停止履歴情報作成手段と、１以上の上記停止履歴情報を記憶可能とされる記憶手段と、この記憶手段に記憶されている停止履歴情報に基づいて、所定の出力態様によって提示を行う提示手段とを備えてなるものである。
また、本発明の画像表示方法として次のように構成する。
つまり、 移動体の現在位置を測位する測位ステップと、移動体が停止状態にあることを検出する検出ステップと、この検出ステップにより検出される停止状態が所定時間以上を経過した場合に、この時の停止位置に関する所要の情報である停止履歴情報を作成するものとされ、この停止履歴情報として、少なくとも、上記測位ステップによって停止位置を測位して得た停止位置情報を含めるようにして作成を行う停止履歴情報作成ステップと、１以上の停止履歴情報を記憶手段に記憶させる記憶ステップと、記憶手段に記憶されている停止履歴情報に基づいて、所定の表示形態により画像表示を行う画像表示ステップとを実行するようにして構成することとした。
【手続補正５】
【補正対象書類名】明細書
【補正対象項目名】０００９
【補正方法】変更
【補正の内容】
【０００９】
即ち、本発明のナビゲーション装置、画像表示方法は、少なくとも移動体が所定時間以上停止していたとされる停止位置の情報からなる停止履歴情報を記憶しておくと共に、その停止履歴情報を所定の出力態様によって提示、あるいは画像表示するようにされる。これにより、提示された停止履歴情報から以前に立ち寄った地点の検索を行うことが可能になる。
【手続補正６】
【補正対象書類名】明細書
【補正対象項目名】００１２
【補正方法】変更
【補正の内容】
【００１２】
ナビゲーション本体部２の詳しい構成については後述するが、その内部で再生される記録媒体９から読み出した地図情報と、現在位置情報とに基づいて、例えば当該ナビゲーション装置１が搭載されている自動車のドライブ経路や現在位置等のガイドとなるナビゲーション情報を生成し、提示手段とされる表示部３に出力するようにされる。
なお、以下本明細書では、当該ナビゲーション装置１が搭載されている自動車のことを自車という。
【手続補正７】
【補正対象書類名】明細書
【補正対象項目名】００２３
【補正方法】変更
【補正の内容】
【００２３】
ＲＯＭ（Read Only Memory）１１には、本実施の形態のナビゲーション装置１が所要の処理を実行するための各種プログラムが格納されている。
ＳＲＡＭ（Static Random Access Memory ）１２は、いわゆるバックアップデータを記憶保持するためのメモリである。ここでのバックアップデータとしては、例えばナビゲーション用のユーザメモリとして用いられ、通常、目的地や通過ポイントなどのマーク情報、各種設定、走行軌跡情報などが挙げられる。
また、本実施の形態にあっては、その詳細については後述するが自車が所定時間以上停車して駐車状態であると判定された時に、この時の自車の駐車位置に関する各種情報が駐車履歴情報として記憶される。
【手続補正８】
【補正対象書類名】明細書
【補正対象項目名】００２４
【補正方法】変更
【補正の内容】
【００２４】
なお、上記バックアップデータ用のメモリとしては、ＳＲＡＭ１２に限らず、例えばフラッシュメモリ（Flash Memory）や、電源が供給されていない状態でもその内容を記憶しておくことができるメモリなどによって構成することも可能である。
【手続補正９】
【補正対象書類名】図面
【補正対象項目名】図２
【補正方法】変更
【補正の内容】
【図２】
2001050760.tif 000001